【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
衝撃波を生成するためのデバイスであって、前記デバイスは、
軸方向に延びている細長い部材と、
前記細長い部材の一部を包囲しているバルーンであって、前記バルーンは、伝導性流体で充填可能である、バルーンと、
前記細長い部材に沿って延びている第１のワイヤであって、前記バルーン内の第１の側面場所における第１の内側電極において終端している第１のワイヤと、
前記細長い部材に沿って延びている第２のワイヤであって、前記第１の内側電極から円周方向にオフセットされている第２の側面場所に位置する第２の内側電極において終端している第２のワイヤと、
第１の開口部および第２の開口部を有する円筒形状の絶縁シースであって、前記絶縁シースは、前記絶縁シースの第１の開口部が前記第１の内側電極の上に位置し、かつ、前記絶縁シースの第２の開口部が前記第２の内側電極の上に位置するように、前記第１の内側電極および前記第２の内側電極の周囲に配置されている、絶縁シースと、
第１の開口部および第２の開口部を有する外側電極シースであって、前記外側電極シースは、前記外側電極シースの第１の開口部が前記絶縁シースの第１の開口部と整列させられ、かつ、前記外側電極シースの第２の開口部が前記絶縁シースの第２の開口部と整列させられるように、前記絶縁シースの周囲に配置されており、前記外側電極シースは、前記バルーンが前記伝導性流体で充填され、かつ、電圧が前記第１の内側電極および前記第２の内側電極にわたって印加されると、電流が、前記第１の内側電極から前記外側電極シースに、そして前記第２の内側電極に直列に流動することにより、第１の衝撃波が前記第１の側面場所から開始され、第２の衝撃波が前記第２の側面場所から開始されるように配列されている、外側電極シースと
を備える、デバイス。
【請求項２】
前記細長い部材の外面は、第１の溝および第２の溝を有し、前記第１の溝および前記第２の溝の各々は、前記細長い部材の長さに沿って延びており、前記第１のワイヤは、前記第１の溝内にスライド可能に配置されており、前記第２のワイヤは、前記第２の溝内にスライド可能に配置されている、請求項１に記載のデバイス。
【請求項３】
前記第１の内側電極は、前記第１のワイヤの導電性部分を覆って圧着されており、前記第２の内側電極は、前記第２のワイヤの導電性部分を覆って圧着されている、請求項１に記載のデバイス。
【請求項４】
前記第１の内側電極は、前記第１のワイヤを覆って圧着されている第１のハイポチューブであり、前記第２の内側電極は、前記第２のワイヤを覆って圧着されている第２のハイポチューブである、請求項３に記載のデバイス。
【請求項５】
前記細長い部材は、それを通って延びているガイドワイヤ管腔を有する、請求項１に記載のデバイス。
【請求項６】
衝撃波を生成するためのシステムであって、前記システムは、
軸方向に延びている細長い部材と、
前記細長い部材の一部を包囲しているバルーンであって、前記バルーンは、伝導性流体で充填可能である、バルーンと、
前記細長い部材の長さに沿った第１の場所における第１の電極アセンブリであって、前記第１の電極アセンブリは、第１の内側電極、第２の内側電極、および外側電極を有し、２つの円周方向にオフセットされた場所において衝撃波を開始するように構成されている、第１の電極アセンブリと、
前記細長い部材の長さに沿った第２の場所における第２の電極アセンブリであって、前記第２の電極アセンブリは、第１の内側電極、第２の内側電極、および外側電極を有し、２つの円周方向にオフセットされた場所において衝撃波を開始するように構成されており、前記第１の電極アセンブリの第２の内側電極および前記第２の電極アセンブリの第１の内側電極は、接続されており、前記バルーンが前記伝導性流体で充填され、かつ、電圧が前記第１の電極アセンブリの第１の内側電極および前記第２の電極アセンブリの第２の内側電極にわたって印加されると、電流が、前記第１の電極アセンブリの第１の内側電極から前記第１の電極アセンブリの外側電極に、前記第１の電極アセンブリの第２の内側電極に、前記第２の電極アセンブリの第１の内側電極に、前記第２の電極アセンブリの外側電極に、そして前記第２の電極アセンブリの第２の電極に直列に流動することにより、衝撃波の第１の対が前記第１の電極アセンブリの２つの円周方向にオフセットされた場所において生成され、衝撃波の第２の対が前記第２の電極アセンブリの２つの円周方向にオフセットされた場所において生成される、第２の電極アセンブリと
を備える、システム。
【請求項７】
前記細長い部材の長さに沿った第３の場所における第３の電極アセンブリをさらに備え、前記第３の電極アセンブリは、第１の内側電極、第２の内側電極、および外側電極を有し、２つの円周方向にオフセットされた場所において衝撃波を開始するように構成されている、請求項６に記載のシステム。
【請求項８】
前記細長い部材の長さに沿った第４の場所における第４の電極アセンブリをさらに備え、前記第４の電極アセンブリは、第１の内側電極、第２の内側電極、および外側電極を有し、２つの円周方向にオフセットされた場所において衝撃波を開始するように構成されている、請求項７に記載のシステム。
【請求項９】
前記細長い部材の長さに沿った第５の場所における第５の電極アセンブリをさらに備え、前記第５の電極アセンブリは、第１の内側電極、第２の内側電極、および外側電極を有し、２つの円周方向にオフセットされた場所において衝撃波を開始するように構成されている、請求項８に記載のシステム。
【請求項１０】
第１のチャネル、第２のチャネル、第３のチャネル、および帰還コネクタを有する電圧パルス発生器をさらに備え、前記第１のチャネルは、前記第１の電極アセンブリに選択的に接続可能であり、前記第２のチャネルは、前記第３の電極アセンブリに選択的に接続可能であり、前記第３のチャネルは、前記第４の電極アセンブリに選択的に接続可能であり、前記帰還コネクタは、前記第２の電極アセンブリ、前記第３の電極アセンブリ、および前記第５の電極アセンブリに接続されている、請求項９に記載のシステム。
【請求項１１】
前記第４の電極アセンブリの第２の内側電極は、前記第５の電極アセンブリの第１の内側電極に接続されており、前記第２の電極アセンブリの第２の内側電極、前記第３の電極アセンブリの第２の内側電極、および前記第５の電極アセンブリの第２の内側電極が、接続されている、請求項１０に記載のシステム。
【請求項１２】
前記バルーンが前記伝導性流体で充填され、かつ、電圧が前記第３の電極アセンブリの第１の内側電極および第２の内側電極にわたって印加されると、電流が、前記第３の電極アセンブリの第１の内側電極から前記第３の電極アセンブリの外側電極に、そして前記第３の電極アセンブリの第２の内側電極に直列に流動することにより、衝撃波の対が前記第３の電極アセンブリの２つの円周方向にオフセットされた場所において生成される、請求項１１に記載のシステム。
【請求項１３】
前記バルーンが前記伝導性流体で充填され、かつ、電圧が前記第４の電極アセンブリの第１の内側電極および前記第５の電極アセンブリの第２の内側電極にわたって印加されると、電流が、前記第４の電極アセンブリの第１の内側電極から前記第４の電極アセンブリの外側電極に、前記第４の電極アセンブリの第２の内側電極に、前記第５の電極アセンブリの第１の内側電極に、前記第５の電極アセンブリの外側電極に、そして前記第５の電極アセンブリの第２の電極に直列に流動することにより、衝撃波の第１の対が前記第４の電極アセンブリの２つの円周方向にオフセットされた場所において生成され、衝撃波の第２の対が前記第５の電極アセンブリの２つの円周方向にオフセットされた場所において生成される、請求項１１に記載のシステム。
【請求項１４】
衝撃波を生成するためのシステムであって、前記システムは、
軸方向に延びている細長い部材と、
前記細長い部材の一部を包囲しているバルーンであって、前記バルーンは、伝導性流体で充填可能である、バルーンと、
前記細長い部材の長さに沿った第１の場所における第１の電極アセンブリであって、前記第１の電極アセンブリは、第１の内側電極、第２の内側電極、および外側電極を有し、２つの円周方向にオフセットされた場所において衝撃波を開始するように構成されている、第１の電極アセンブリと、
前記細長い部材の長さに沿った第２の場所における第２の電極アセンブリであって、前記第２の電極アセンブリは、第１の内側電極、第２の内側電極、および外側電極を有し、２つの円周方向にオフセットされた場所において衝撃波を開始するように構成されており、前記第１の電極アセンブリおよび前記第２の電極アセンブリは、直列に接続されている、第２の電極アセンブリと、
前記細長い部材の長さに沿った第３の場所における第３の電極アセンブリであって、前記第３の電極アセンブリは、第１の内側電極、第２の内側電極、および外側電極を有し、２つの円周方向にオフセットされた場所において衝撃波を開始するように構成されている、第３の電極アセンブリと、
前記細長い部材の長さに沿った第４の場所における第４の電極アセンブリであって、前記第４の電極アセンブリは、第１の内側電極、第２の内側電極、および外側電極を有し、２つの円周方向にオフセットされた場所において衝撃波を開始するように構成されており、前記第３の電極アセンブリおよび前記第４の電極アセンブリは、直列に接続されている、第４の電極アセンブリと、
第１のチャネル、第２のチャネル、および帰還コネクタを有する電圧パルス発生器であって、前記第１のチャネルは、前記第１の電極アセンブリに選択的に接続可能であり、前記第２のチャネルは、前記第３の電極アセンブリに選択的に接続可能であり、前記帰還コネクタは、前記第２の電極アセンブリおよび前記第４の電極アセンブリに接続されており、直列に接続された前記第１および第２の電極アセンブリと、直列に接続された前記第３および第４の電極アセンブリとのうちの１つに選択的に電圧供給するように構成されている、電圧パルス発生器と
を備える、システム。
【請求項１５】
前記第１の電極アセンブリの第２の内側電極は、前記第２の電極アセンブリの第１の内側電極に接続されており、前記第３の電極アセンブリの第２の内側電極は、前記第４の電極アセンブリの第１の内側電極に接続されており、前記第２の電極アセンブリの第２の内側電極および前記第４の電極アセンブリの第２の内側電極は、前記帰還コネクタに接続されている、請求項１４に記載のシステム。
【請求項１６】
前記細長い部材の長さに沿った第５の場所における第５の電極アセンブリをさらに備え、前記第５の電極アセンブリは、第１の内側電極、第２の内側電極、および外側電極を有し、２つの円周方向にオフセットされた場所において衝撃波を開始するように構成されており、前記電圧パルス発生器は、前記第５の電極アセンブリに選択的に接続可能な第３のチャネルを含む、請求項１５に記載のシステム。
【請求項１７】
石灰化病変を破砕するための衝撃波を生成するためのデバイスであって、前記デバイスは、
軸方向に延びている細長い部材と、
前記細長い部材の一部を包囲しているバルーンであって、前記バルーンは、伝導性流体で充填可能である、バルーンと、
前記細長い部材の長さに沿って延びている第１のワイヤであって、前記ワイヤは、絶縁されており、第１の内側電極を規定する非絶縁部分を有する、第１のワイヤと、
前記細長い部材の長さに沿って延びている第２のワイヤであって、前記第２のワイヤは、絶縁されており、第２の内側電極を規定する非絶縁部分を有し、前記第２の内側電極は、前記第１の内側電極から円周方向にオフセットされた場所に位置している、第２のワイヤと、
第１の開口部と第２の開口部とが形成されている伝導性シースであって、前記シースは、前記シースの第１の開口部が前記第１の内側電極と整列させられ、かつ、前記シースの第２の開口部が前記第２の内側電極と整列させられるように、前記細長い部材に装着されており、前記シースは、前記バルーンが伝導性流体で充填され、かつ、電圧が前記第１のワイヤおよび前記第２のワイヤに印加されると、衝撃波が前記第１の内側電極および前記第２の内側電極の両方の近傍で生成されるように配列されている、伝導性シースと
を備える、デバイス。
【請求項１８】
前記第１の内側電極および前記第２の内側電極は、前記第１のワイヤの非絶縁部分および前記第２のワイヤの非絶縁部分の各々に取り付けられた追加の伝導性要素によってさらに規定されている、請求項１７に記載のデバイス。
【請求項１９】
前記追加の伝導性要素は、前記第１のワイヤの非絶縁部分および前記第２のワイヤの非絶縁部分の各々に圧着されたハイポチューブである、請求項１８に記載のデバイス。
【請求項２０】
前記第１のワイヤおよび前記第２のワイヤは、前記細長い部材内に形成されており、前記細長い部材が絶縁を提供する、請求項１７に記載のデバイス。
【請求項２１】
前記第１のワイヤおよび前記第２のワイヤは各々、絶縁シースを含む、請求項１７に記載のデバイス。
【請求項２２】
細長い部材は、その外面に沿って形成された細長い溝を含み、前記第１のワイヤおよび前記第２のワイヤは、前記溝に保持されている、請求項２１に記載のデバイス。
【請求項２３】
前記第２の内側電極は、前記第１の内側電極から１８０度オフセットされている、請求項１７に記載のデバイス。
【請求項２４】
第１の開口部および第２の開口部を有する第２の伝導性シースをさらに含み、前記第２の内側電極は、第３の内側電極に接続されており、前記第３の内側電極は、前記第２のシースにおける前記第１の開口部と整列させられており、第４の内側電極は、前記第２のシースにおける前記第２の開口部と整列させられている、請求項１７に記載のデバイス。
【請求項２５】
前記細長い部材は、ガイドワイヤ管腔を含む、請求項１７に記載のデバイス。
【請求項２６】
前記伝導性シースと前記第１および第２の内側電極との間に装着されている絶縁シースをさらに含み、前記絶縁シースは、前記第１および第２の内側電極と整列させられた第１および第２の開口部を含む、請求項１７に記載のデバイス。
【手続補正２】
【補正対象書類名】明細書
【補正対象項目名】００１１
【補正方法】変更
【補正の内容】
【００１１】
衝撃波を生成するためのシステムの別の変形例は、複数の高電圧出力チャネルを有する高電圧パルス発生器と、カテーテルと、カテーテルのある長さに沿って位置する複数の衝撃波源であって、複数の衝撃波源を駆動する高電圧出力チャネルの数は、衝撃波源の数より少ない、衝撃波源と、衝撃波源を有する、カテーテルの上記長さに沿って包囲するバルーンであって、バルーンは、伝導性流体で充填可能である、バルーンとを備え得る。
本発明は、例えば、以下を提供する。
（項目１）
衝撃波を生成するためのデバイスであって、
軸方向に延びているカテーテルと、
前記カテーテルの一部分を包囲しているバルーンであって、前記バルーンは、伝導性流体で充填可能である、バルーンと、
前記バルーン内で前記カテーテルの一部分に巻き付けられている絶縁層であって、前記絶縁層は、第１の開口を有する、絶縁層と、
前記カテーテル内で保持され、前記絶縁層の前記第１の開口と整列させられている第１の内側電極と、
前記絶縁層上に据え付けられている外側電極と
を備え、
前記外側電極は、第１の開口を有し、前記外側電極の前記第１の開口は、前記絶縁層における前記第１の開口と同軸に整列させられており、かつ、前記バルーンが流体で充填され、電圧が前記電極にわたって印加された場合、第１の衝撃波が前記カテーテルの第１の側面場所から開始されるように配列されている、デバイス。
（項目２）
前記絶縁層は、絶縁シースであり、前記外側電極は、前記絶縁シースの周囲で円周方向に据え付けられているシースの形態である、項目１に記載のデバイス。
（項目３）
前記外側電極における前記第１の開口のサイズは、前記絶縁シースにおける前記第１の開口のサイズより大きい、項目１に記載のデバイス。
（項目４）
第１のワイヤと、第２のワイヤとをさらに備え、前記第１および第２のワイヤは、前記カテーテルの長さに沿って延び、前記第１のワイヤは、前記第１の内側電極に接続され、前記第２のワイヤは、前記外側電極に接続されている、項目１に記載のデバイス。
（項目５）
前記カテーテルは、前記カテーテルの長さに沿って延びている第１および第２の溝を有し、前記第１のワイヤは、前記第１の溝内にスライド可能に配置され、前記第２のワイヤは、前記第２の溝内にスライド可能に配置されている、項目４に記載のデバイス。
（項目６）
前記第１の内側電極および前記外側電極は、それぞれ、前記第１および第２のワイヤの導電性部分を覆って圧着されている、項目４に記載のデバイス。
（項目７）
前記第１の内側電極は、前記第１のワイヤを覆って圧着されているハイポチューブである、項目６に記載のデバイス。
（項目８）
前記絶縁シースは、前記絶縁シースにおける前記第１の開口の円周方向に反対側に第２の開口を有し、
前記デバイスは、前記絶縁シースにおける前記第２の開口と整列させられている第２の内側電極をさらに備え、
前記外側電極シースは、第２の開口を有し、前記外側電極シースの前記第２の開口は、前記絶縁シースにおける前記第２の開口と同軸に整列させられており、かつ、前記バルーンが流体で充填され、電圧が前記第２の内側電極および前記外側電極にわたって印加された場合、第２の衝撃波が前記第１の側面場所の反対側にある前記カテーテルの第２の側面場所から開始されるように配列されている、項目２に記載のデバイス。
（項目９）
第１のワイヤ、第２のワイヤ、および第３のワイヤをさらに備え、前記第１、第２、および第３のワイヤは、前記カテーテルの長さに沿って延び、前記第１のワイヤは、前記第１の内側電極に接続され、前記第２のワイヤは、前記外側電極に接続され、前記第３のワイヤは、前記第２の内側電極に接続されている、項目８に記載のデバイス。
（項目１０）
前記カテーテルは、前記カテーテルの長さに沿って延びている第１、第２、および第３の溝を有し、前記第１のワイヤは、前記第１の溝内にスライド可能に配置され、前記第２のワイヤは、前記第２の溝内にスライド可能に配置され、前記第３のワイヤは、前記第３の溝内にスライド可能に配置されている、項目９に記載のデバイス。
（項目１１）
前記第１の内側電極および前記第２の内側電極は、それぞれ、前記第１および第３のワイヤの導電性部分を覆って圧着されている、項目９に記載のデバイス。
（項目１２）
前記第１の内側電極および前記第２の内側電極は、各々が前記第１および第３のワイヤを覆ってそれぞれ圧着されている第１および第２のハイポチューブである、項目１１に記載のデバイス。
（項目１３）
前記第１および第２の圧着ハイポチューブの表面の各々は、前記細長い部材の一部分に円周方向に及んでいる、項目１２に記載のデバイス。
（項目１４）
前記第１および第２の圧着ハイポチューブの各々は、前記細長い部材の円周の周囲の距離の少なくとも１／６に円周方向に及んでいる、項目１３に記載のデバイス。
（項目１５）
前記絶縁シースは、前記絶縁シースにおける前記第１の開口から円周方向９０度に第３の開口を有し、
前記デバイスは、前記絶縁シースにおける前記第３の開口と整列させられている第３の内側電極をさらに備え、
前記外側電極シースは、第３の開口を有し、前記外側電極シースの前記第３の開口は、前記絶縁シースにおける前記第３の開口と同軸に整列させられており、かつ、前記バルーンが流体で充填され、電圧が前記第３の内側電極および前記外側電極にわたって印加された場合、第３の衝撃波が前記第１の側面場所から９０度オフセットされる第３の側面場所から開始されるように配列されている、項目８に記載のデバイス。
（項目１６）
前記絶縁シースは、前記絶縁シースにおける前記第３の開口の円周方向反対に第４の開口を有し、
前記デバイスは、前記絶縁シースにおける前記第４の開口と整列させられている第４の内側電極をさらに備え、
前記外側電極シースは、第４の開口を有し、前記外側電極シースの前記第４の開口は、前記絶縁シースにおける前記第４の開口と同軸に整列させられており、かつ、前記バルーンが流体で充填され、電圧が前記第４の内側電極および前記外側電極にわたって印加された場合、第４の衝撃波が前記第３の側面場所の反対側にある第４の側面場所から開始されるように配列されている、項目１５に記載のデバイス。
（項目１７）
衝撃波を生成するためのデバイスであって、
軸方向に延びているカテーテルと、
前記カテーテルの一部分を包囲しているバルーンであって、前記バルーンは、伝導性流体で充填可能である、バルーンと
前記カテーテルの側面上に据え付けられている第１の内側電極と、
前記第１の内側電極の上に配置されている開口を有する絶縁層であって、前記開口は、前記第１の内側電極と同軸に整列させられている、絶縁層と、
前記絶縁層の上に配置されている開口を有する外側電極であって、前記外側電極開口は、前記絶縁層開口と同軸に整列させられている、外側電極と
を備えている、デバイス。
（項目１８）
前記第１の内側電極、絶縁層、外側電極は、前記カテーテルの外面から０．０１５インチ以上突出していない、項目１７に記載のデバイス。
（項目１９）
前記第１の内側電極の円周方向に反対側にある場所で前記カテーテルの前記側面上に据え付けられている第２の内側電極をさらに備え、前記絶縁層は、前記第２の内側電極と同軸に整列させられている第２の開口を有し、前記外側電極は、前記絶縁層の前記第２の開口と同軸に整列させられている第２の開口を有する、項目１７に記載のデバイス。
（項目２０）
衝撃波を生成するためのシステムであって、
軸方向に延びているカテーテルと、
前記カテーテルの一部分を包囲しているバルーンであって、前記バルーンは、伝導性流体で充填可能である、バルーンと、
前記カテーテルの長さに沿った第１の場所における第１の電極アセンブリであって、前記第１の電極アセンブリは、第１の内側電極と、第２の内側電極と、外側電極とを備え、２つの円周方向に反対の場所で衝撃波を開始するように構成されている、第１の電極アセンブリと、
前記カテーテルの長さに沿った第２の場所における第２の電極アセンブリであって、前記第２の電極アセンブリは、第１の内側電極と、第２の内側電極と、外側電極とを備え、２つの円周方向に反対の場所で衝撃波を開始するように構成されている、第２の電極アセンブリと、
前記カテーテルの長さに沿った第３の場所における第３の電極アセンブリであって、前記第３の電極アセンブリは、第１の内側電極と、第２の内側電極と、外側電極とを備え、２つの円周方向に反対の場所で衝撃波を開始するように構成されている、第３の電極アセンブリと、
前記カテーテルの長さに沿った第４の場所における第４の電極アセンブリであって、前記第４の電極アセンブリは、第１の内側電極と、第２の内側電極と、外側電極とを備え、２つの円周方向に反対の場所で衝撃波を開始するように構成されている、第４の電極アセンブリと、
前記カテーテルの長さに沿った第５の場所における第５の電極アセンブリであって、前記第５の電極アセンブリは、第１の内側電極と、第２の内側電極と、外側電極とを備え、２つの円周方向に反対の場所で衝撃波を開始するように構成されている、第５の電極アセンブリと、
電圧パルス発生器であって、前記電圧パルス発生器のチャネルは、電極アセンブリのうちの１つ以上に接続されている、電圧パルス発生器と
を備えている、システム。
（項目２１）
前記第１の電極アセンブリの前記第１の内側電極は、前記電圧パルス発生器の第１の出力に接続され、
前記第１の電極アセンブリの前記第２の内側電極は、前記第２の電極アセンブリの前記第１の内側電極に接続され、
前記第３の電極アセンブリの前記第１の内側電極は、前記電圧パルス発生器の第２の出力に接続され、
前記第３の電極アセンブリの前記第２の内側電極は、前記電圧パルス発生器の第３の出力に接続され、
前記第４の電極アセンブリの前記第１の内側電極は、前記電圧パルス発生器の第４の出力に接続され、
前記第４の電極アセンブリの前記第２の内側電極は、前記第５の電極アセンブリの前記第１の内側電極に接続され、
前記第２の電極アセンブリの前記第２の内側電極、前記第３の電極アセンブリの前記外側電極、および前記第５の電極アセンブリの前記第２の内側電極は、全て前記電圧パルス発生器の第５の出力に接続されている、項目２０に記載のデバイス。
（項目２２）
衝撃波を生成するためのデバイスであって、
細長い部材と、
第１の縦方向場所で前記細長い部材の側面に沿って位置する第１の電極アセンブリであって、前記第１の電極アセンブリは、前記細長い部材上の第１の側面場所で衝撃波を開始するように構成されている、第１の電極アセンブリと、
前記第１の電極アセンブリの円周方向に反対側にある第２の電極アセンブリであって、前記第２の電極アセンブリは、前記細長い部材の前記第１の側面場所の円周方向反対にある第２の側面場所で衝撃波を開始するように構成されている、第２の電極アセンブリと、
前記細長い部材の一部分を包囲しているバルーンであって、前記バルーンは、伝導性流体で充填可能である、バルーンと
を備えている、デバイス。
（項目２３）
衝撃波を生成するためのシステムであって、
複数の高電圧出力チャネルを有する高電圧パルス発生器と、
カテーテルと、
前記カテーテルのある長さに沿って位置する複数の衝撃波源であって、前記複数の衝撃波源を駆動する高電圧出力チャネルの数は、前記衝撃波源の数より少ない、衝撃波源と、
前記衝撃波源を有する、前記カテーテルの前記長さに沿って包囲するバルーンであって、前記バルーンは、伝導性流体で充填可能である、バルーンと
を備えている、システム。